(57)【要約】【課題】簡単な構成で、スムーズに移動する遮蔽部材を有するＵＳＢコネクタ及びそれを備えた電子機器を提供する。【解決手段】ＵＳＢコネクタは、内部に端子２６を有するハウジング２０と、ハウジング２０の奥部と開口部との間で移動する遮蔽部材３０と、を備える。ハウジング２０は、ハウジング２０の奥部から開口部側へ向かう柱状に形成された端子支持部２５と、ハウジング２０の内側面に形成された奥部から開口部側へ向かう直線状のスリット２７と、を有する。遮蔽部材３０は、端子支持部２５が挿通して端子支持部２５に案内される挿通部３５と、スリット２７に案内されるスライド片３２と、を有する。【選択図】図４
2013191462.tif 000002
【特許請求の範囲】
【請求項１】
内部に端子を有するハウジングと、前記ハウジングの奥部と開口部との間で移動する遮蔽部材と、を備えるＵＳＢコネクタであって、
前記ハウジングは、前記ハウジングの奥部から開口部側へ向かう柱状に形成された第１の案内部と、前記ハウジングの内側面に形成された奥部から開口部側へ向かう直線状の第２の案内部と、を有し、
前記遮蔽部材は、前記第１の案内部が挿通して前記第１の案内部に案内される第１の被案内部と、前記第２の案内部に案内される第２の被案内部と、を有する、
ことを特徴とするＵＳＢコネクタ。
【請求項２】
前記第２の案内部は、スリットから形成されていることを特徴とする請求項１に記載のＵＳＢコネクタ。
【請求項３】
前記第１の案内部には前記端子が配設されており、前記遮蔽部材は、前記遮蔽部材が前記ハウジングの開口部から奥部へ移動するときに、前記端子と摺接する摺接部を有していることを特徴とする請求項１又は２に記載のＵＳＢコネクタ。
【請求項４】
前記摺接部には、布が配設されていることを特徴とする請求項３に記載のＵＳＢコネクタ。
【請求項５】
前記遮蔽部材は、前記ハウジングの奥部から開口部へ向けて付勢されていることを特徴とする請求項１乃至４のいずれか１項に記載のＵＳＢコネクタ。
【請求項６】
請求項１乃至５のいずれか１項に記載のＵＳＢコネクタを備えた電子機器。
【発明の詳細な説明】
【技術分野】
【０００１】
本発明は、ＵＳＢコネクタ及びそれを備えた電子機器に関する。
【背景技術】
【０００２】
従来から、ＵＳＢ（Universal Serial Bus）コネクタなどのＩＯコネクタの挿入口には、端子を保護するために、蓋が配設されているものがある。
【０００３】
例えば、ばねによってハウジングの開口部側に付勢された保護用蓋が、相手方コネクタに押されることによって、一対のガイドピンに案内されてハウジングの開口部から奥部へと移動するコネクタが知られている（例えば、特許文献１を参照）。
【先行技術文献】
【特許文献】
【０００４】
【特許文献１】特開２００３−３１７８７３号公報
【発明の概要】
【発明が解決しようとする課題】
【０００５】
特許文献１に記載のコネクタでは、保護用蓋が一対のガイドピンのみで案内されているので、相手方コネクタの挿入角度によっては、保護用蓋が、その移動方向に対して垂直にならず、傾くことがあった。そのため、保護用蓋がスムーズに移動しない場合があった。
【０００６】
本発明は、このような問題点に着目してなされたもので、簡単な構成でスムーズに移動する遮蔽部材を有するＵＳＢコネクタ及びそれを備えた電子機器を提供することを目的とする。
【課題を解決するための手段】
【０００７】
上記目的を達成するために、本発明の第１の観点に係るＵＳＢコネクタは、
内部に端子を有するハウジングと、前記ハウジングの奥部と開口部との間で移動する遮蔽部材と、を備えるＵＳＢコネクタであって、
前記ハウジングは、前記ハウジングの奥部から開口部側へ向かう柱状に形成された第１の案内部と、前記ハウジングの内側面に形成された奥部から開口部側へ向かう直線状の第２の案内部と、を有し、
前記遮蔽部材は、前記第１の案内部が挿通して前記第１の案内部に案内される第１の被案内部と、前記第２の案内部に案内される第２の被案内部と、を有する、
ことを特徴とする。
【０００８】
また、本発明の第２の観点に係る電子機器は、
本発明の第１の観点に係るＵＳＢコネクタを備えたことを特徴とする。
【発明の効果】
【０００９】
本発明によれば、簡単な構成でスムーズに移動する遮蔽部材を有するＵＳＢコネクタ及びそれを備えた電子機器を提供することができる。
【図面の簡単な説明】
【００１０】
【図１】本発明の実施形態に係るＵＳＢコネクタの斜視図である。
【図２】本発明の実施形態に係るＵＳＢコネクタのハウジングの断面図である。
【図３】本発明の実施形態に係るＵＳＢコネクタの遮蔽部材の斜視図である。
【図４】（ａ）は、本発明の実施形態に係るＵＳＢコネクタの遮蔽部材が、ＵＳＢコネクタの開口部を覆った状態を示す側面図であり、（ｂ）は、断面図である。
【図５】（ａ）は、本発明の実施形態に係るＵＳＢコネクタの遮蔽部材が、ＵＳＢコネクタの背板側に移動した状態を示す側面図であり、（ｂ）は、断面図である。
【図６】本発明の実施形態に係るＵＳＢコネクタの拡大断面図である。
【発明を実施するための形態】
【００１１】
（実施形態）
以下、本発明の実施の形態に係るＵＳＢコネクタ及びそれを備えた電子機器を、図面を参照して説明する。
【００１２】
図１に示すように、コネクタ１０は、各種の電子機器に取り付けられるＵＳＢコネクタであり、ハウジング２０と、遮蔽部材３０と、コイルばね４０と、を備えている。尚、図１に示すコネクタ１０の差し込み方向をＸ方向、コネクタ１０の幅方向をＹ方向、Ｘ方向及びＹ方向に垂直な方向をＺ方向として以下説明する。
【００１３】
図２に示すように、ハウジング２０は、背板２１、天板２２、一対の側板２３、２３、底板２４を備え、＋Ｘ側が開口した筐体で形成されている。天板２２の近傍には、背板２１から開口側、すなわち＋Ｘ側に向かう天板２２に平行な略四角柱状の端子支持部２５が形成されている。端子支持部２５の−Ｚ側、すなわち底板２４側には、図示しない基板と電気的に接続されている端子２６が配設されている。
【００１４】
また、図１及び図２に示すように、ハウジング２０の側板２３には、後述する遮蔽部材３０をＸ方向に案内するための、Ｘ方向に平行なスリット２７が形成されている。また、側板２３の開口部近傍には、遮蔽部材３０が後述するコイルばね４０に付勢されて、ハウジング２０から脱落することを防止するための、図示しないストッパが形成されている。
【００１５】
図３に示すように、遮蔽部材３０は、遮蔽板３１と、スライド片３２と、摺接部３３と、バネ支持部３４と、を備えている。遮蔽部材３０は、−Ｘ側をハウジング２０の背板２１側に向けてハウジング２０内に配設される。遮蔽部材３０は、ハウジング２０の開口部を遮蔽すると共に、ハウジング２０の開口部と、奥部すなわち背板２１近傍との間をＸ方向に移動する部材である。
【００１６】
遮蔽板３１は、ハウジング２０の開口部より僅かに小さく形成され、Ｘ方向に垂直な板面を有する板状部材である。遮蔽板３１には、ハウジング２０に形成された端子支持部２５を挿通させるための略矩形状の挿通部３５が形成されている。
【００１７】
図３に示すように、遮蔽板３１の＋Ｙ側及び−Ｙ側の端部には、−Ｘ側を向く四角柱状に形成されたスライド片３２が形成されている。スライド片３２は、ハウジング２０に形成されたスリット２７に案内されて、遮蔽部材３０をハウジング２０の開口部と背板２１との間を移動させる被案内部である。
【００１８】
図３に示すように、遮蔽板３１の−Ｘ側の面には、遮蔽部材３０が−Ｘ方向に移動したときにハウジング２０の端子２６に摺接する、庇状の摺接部３３が形成されている。
【００１９】
摺接部３３の＋Ｚ側、すなわち端子２６と摺接する側には、端子２６と摺接しやすくするための、傾斜部３３ａが形成されている。また、摺接部３３には、端子２６に付着している塵などを拭き取るための、拭き取り布３６が配設されている。拭き取り布３６は、フェルト、織物、不織布などから形成されている。
【００２０】
図３に示すように、遮蔽板３１の−Ｘ側の面には、円柱状のばね支持部３４が形成されている。ばね支持部３４は、コイルばね４０の中に挿入できるように、その外径がコイルばね４０の内径より小さく形成されている。
【００２１】
以上のように構成されたコネクタ１０は、図４（ａ）及び図４（ｂ）のように、組み立てられる。このとき、図４（ａ）に示すように、遮蔽部材３０のスライド片３２はハウジング２０のスリット２７に遊嵌している。また、図４（ｂ）に示すように、遮蔽板３１の挿通部３５には、ハウジング２０の端子支持部２５が挿通している。
【００２２】
また、遮蔽部材３０は、コイルばね４０によって開口部側へ付勢されると共に、図示しないストッパでハウジング２０から脱落しないように保持されている。
【００２３】
次に、コネクタ１０の動作について説明する。
【００２４】
図示しない雄側コネクタが挿入されていない状態では、図４（ａ）及び図４（ｂ）に示すように、遮蔽部材３０は、コイルばね４０に付勢されて開口部側に位置している。このとき、遮蔽部材３０の遮蔽板３１は、ハウジング２０の開口部を閉塞している。また、図４（ｂ）に示すように、遮蔽部材３０の摺接部３３は、端子２６より＋Ｘ側に位置している。
【００２５】
図示しない雄側コネクタがコネクタ１０に挿入されると、図５（ａ）及び図５（ｂ）に示すように、遮蔽部材３０が雄側コネクタによって−Ｘ側に押され、遮蔽部材３０は、ハウジング２０の背板２１側に移動する。
【００２６】
このとき、遮蔽部材３０の挿通部３５は、コネクタ２０の端子支持部２５に案内される。また、遮蔽部材３０のスライド片３２は、コネクタ２０の側面２３に形成されたスリット２７に案内される。このように、遮蔽部材３０は、ハウジング２０の天板２２の近傍に形成された案内部と、ハウジング２０の側板２３に形成された案内部とに案内される。
【００２７】
さらに、このとき、図６に示すように、遮蔽部材３０の摺接部３３が、ハウジング２０の端子２６に摺接する。これにより、摺接部３３に配設されている拭き取り布３６が、端子２６に付着している塵などを拭き取る。
【００２８】
雄側コネクタがコネクタ１０から取り外されると、図４（ａ）及び図４（ｂ）に示すように、遮蔽部材３０は、遮蔽板３１がコイルばね４０に付勢されて、再び開口部側に移動する。そして、遮蔽部材３０の遮蔽板３１は、ハウジング２０の開口部を閉塞する。
【００２９】
以上説明したように、本実施形態のコネクタ１０によれば、端子支持部２５を第１の案内部とし、側板２３に形成したスリット２７を第２の案内部としているので、簡単な構成で、スムーズに移動する遮蔽部材を有するＵＳＢコネクタを得ることができる。
【００３０】
なお、本発明は上記の実施形態に限定されるものではなく、種々の変形が可能である。
【００３１】
例えば、上記の実施形態では、ハウジング２０の側板２３に、第２の案内部としてスリット２７を形成したが、これに限定されるものではない。ハウジング２０の側板２３の内壁に溝が形成されていてもよい。また、ハウジング２０の側板２３の内壁に直線状の凸部を形成し、遮蔽部材３０に該凸部に対応する凹状の切り欠きを形成してもよい。
【００３２】
なお、本発明は、ＵＳＢコネクタに適用されるだけではなく、例えば、ｍｉｎｉＵＳＢコネクタ、ｍｉｃｒｏＵＳＢコネクタなどに適用することができる。また、各種の電子機器に本発明を適用することができる。すなわち、上述の実施形態は説明のためのものであり、本発明の範囲を制限するものではない。したがって、当業者であればこれらの各要素又は全要素をこれと均等なものに置換した実施形態を採用することが可能であるが、これらの実施形態も本発明の範囲に含まれる。
【００３３】
上記の実施形態の一部又は全部は、以下の付記のようにも記載され得るが、以下には限られない。
【００３４】
（付記１）
内部に端子を有するハウジングと、前記ハウジングの奥部と開口部との間で移動する遮蔽部材と、を備えるＵＳＢコネクタであって、
前記ハウジングは、前記ハウジングの奥部から開口部側へ向かう柱状に形成された第１の案内部と、前記ハウジングの内側面に形成された奥部から開口部側へ向かう直線状の第２の案内部と、を有し、
前記遮蔽部材は、前記第１の案内部が挿通して前記第１の案内部に案内される第１の被案内部と、前記第２の案内部に案内される第２の被案内部と、を有する、
ことを特徴とするＵＳＢコネクタ。
【００３５】
（付記２）
前記第２の案内部は、スリットから形成されていることを特徴とする付記１に記載のＵＳＢコネクタ。
【００３６】
（付記３）
前記第１の案内部には前記端子が配設されており、前記遮蔽部材は、前記遮蔽部材が前記ハウジングの開口部から奥部へ移動するときに、前記端子と摺接する摺接部を有していることを特徴とする付記１又は２に記載のＵＳＢコネクタ。
【００３７】
（付記４）
前記摺接部には、布が配設されていることを特徴とする付記３に記載のＵＳＢコネクタ。
【００３８】
（付記５）
前記遮蔽部材は、前記ハウジングの奥部から開口部へ向けて付勢されていることを特徴とする付記１乃至４のいずれか１つに記載のＵＳＢコネクタ。
【００３９】
（付記６）
付記１乃至５のいずれか１つに記載のＵＳＢコネクタを備えた電子機器。
【符号の説明】
【００４０】
１０  ＵＳＢコネクタ
２０  ハウジング
２１  背板
２２  天板
２３  側板
２４  底板
２５  端子支持部
２６  端子
２７  スリット
３０  遮蔽部材
３１  遮蔽板
３２  スライド片
３３  摺接部
３４  バネ支持部
３５  挿通部
３６  拭き取り布
４０  コイルばね
【図１】
2013191462.tif 000003
【図２】
2013191462.tif 000004
【図３】
2013191462.tif 000005
【図４】
2013191462.tif 000006
【図５】
2013191462.tif 000007
【図６】
2013191462.tif 000008